(57)【要約】【課題】  視野角の切替操作を必要とすることなく、特定の人からの着信情報が覗き見されるのを抑制することができる携帯通信端末を提供する。【解決手段】  相手先識別情報を覗き見防止識別情報として保持する覗き見防止識別情報記憶部１１２と、表示装置１０１の視野角を広視野状態及び狭視野状態のいずれか一方に切り替える視野角制御部１１４と、セルラー基地局を介して、外部機器から着信信号を受信するセルラー通信部１１と、受信した着信信号に基づいて、着信情報を表示装置１０１上に表示する着信通知制御部１１７と、受信した着信信号に基づいて、発信元識別情報を特定する発信元特定部１１０と、発信元識別情報を覗き見防止識別情報と比較する識別情報比較部１１３により構成される。視野角制御部１１４は、識別情報比較部１１３の比較結果に基づいて、表示装置１０１の視野角を狭視野状態に切り替える。【選択図】  図６
2014093730.tif 000002
【特許請求の範囲】
【請求項１】
相手先識別情報を覗き見防止識別情報として保持する覗き見防止識別情報記憶手段と、
表示装置の視野角を広視野状態及び狭視野状態のいずれか一方に切り替える視野角制御手段と、
セルラー基地局を介して、外部機器から着信信号を受信する無線通信手段と、
受信した上記着信信号に基づいて、着信情報を上記表示装置上に表示する着信通知手段と、
受信した上記着信信号に基づいて、発信元識別情報を特定する発信元特定手段と、
上記発信元識別情報を上記覗き見防止識別情報と比較する識別情報比較手段とを備え、
上記視野角制御手段は、上記識別情報比較手段の比較結果に基づいて、上記表示装置の視野角を上記狭視野状態に切り替えることを特徴とする携帯通信端末。
【請求項２】
ユーザ操作に基づいて、認証画面を上記表示装置上に表示し、ユーザ認証を行うユーザ認証手段を備え、
上記着信通知手段は、上記覗き見防止識別情報が登録されているメンバーをシークレットメンバーとし、このシークレットメンバーから着信信号を受信した場合に、上記着信情報を表示せず、非シークレットメンバーから着信信号を受信した場合に、上記着信情報を表示するシークレットモードと、発信元が上記シークレットメンバーであるか否かにかかわらず、上記着信情報を表示する非シークレットモードとを有し、上記ユーザ認証に成功した場合に、上記シークレットモードから上記非シークレットモードに切り替えることを特徴とする請求項１に記載の携帯通信端末。
【請求項３】
上記狭視野状態において視野角外のユーザに視認させる２以上の視野角外視認パターンを保持する視認パターン記憶手段を備え、
上記視野角制御手段は、上記視野角外視認パターンのいずれか一つを上記シークレットメンバーからの着信を示すシークレットパターンとし、ユーザ操作に基づいて、上記シークレットパターン以外の上記視野角外視認パターンを用いた狭視野状態に切り替え、この非シークレットパターンによる狭視野状態において上記シークレットメンバーから着信信号を受信した場合に、上記視野角外視認パターンを上記シークレットパターンに切り替えることを特徴とする請求項２に記載の携帯通信端末。
【請求項４】
上記覗き見防止識別情報記憶手段は、上記シークレットメンバーの電話番号を上記覗き見防止識別情報として保持することを特徴とする請求項２又は３に記載の携帯通信端末。
【請求項５】
上記覗き見防止識別情報記憶手段は、上記シークレットメンバーのメールアドレスを上記覗き見防止識別情報として保持することを特徴とする請求項２又は３に記載の携帯通信端末。
【発明の詳細な説明】
【技術分野】
【０００１】
本発明は、携帯通信端末に係り、さらに詳しくは、表示装置の視野角を広視野状態及び狭視野状態のいずれか一方に切替可能な携帯通信端末の改良に関する。
【背景技術】
【０００２】
携帯電話機は、路上や電車内など、周囲に人がいる環境で使用する場合が少なくない。このため、電話又は電子メールの着信履歴や、受信メールのメール本文といった秘匿性の高い個人情報を表示装置上に表示した際に、画面表示を周囲の人に覗き見されるという問題があった。
【０００３】
表示装置の視野角を切り替えられる携帯通信端末では、その様な秘匿性の高い個人情報を表示装置上に表示する場合に、画面表示を狭視野角で閲覧させる狭視野状態に切り替えることにより、周囲の人に覗き見されるのを防止することができる。しかし、操作キーを操作することによって表示装置の視野角を狭視野状態に切り替えるような構成では、秘匿性の高い個人情報を表示しようとするごとに、操作キーの操作を行わなければならず、視野角の切替操作が煩わしいという問題があった。
【０００４】
そこで、予め登録された保護情報を含む表示情報を表示する場合に表示装置の視野角を自動的に狭小化する携帯電話機が提案されている（例えば、特許文献１）。この特許文献１に記載の携帯電話機によれば、電子メールのメールアドレス等を保護情報として登録しておくことにより、保護情報を含む電子メールを表示する際には、視野角の切替操作を行わなくても、保護情報の覗き見を防ぐことができる。
【０００５】
しかしながら、この様な携帯電話機では、保護しようとする情報自体を予め登録しておく必要があった。このため、電話や電子メールの着信通知メッセージ又は着信履歴を最後に確認した後、特定の人から電話や電子メールの着信があった場合に、その着信通知メッセージ又は着信履歴が覗き見されるのを防ぐことはできなかった。また、特定の人からの着信であるか否かにかかわらず、着信通知メッセージや着信履歴を全て一律に保護情報とするような構成では、特定の人から着信があった場合に、そのことにユーザが気づきにくいという問題があった。
【０００６】
一方、従来の携帯電話機には、シークレットメンバーとして予め登録されているメンバーからの着信であれば着信通知を行わず、シークレットメンバーの着信履歴も表示しないシークレットモードを備えたものがある。シークレットモードでは、シークレットメンバーから着信があったこと自体を秘匿することができる。通常、シークレットモードは、ユーザ認証のための認証画面を表示させ、パスワード等を入力することによってユーザ認証に成功すれば、解除することができる。この種の携帯電話機では、シークレットモードを解除する際に、解除操作の操作内容を示す画面表示が覗き見されてしまうという問題があった。
【０００７】
なお、特許文献２には、着信信号を受信したタイミングで表示装置の視野角を狭小化する携帯電話機が記載されている。この様な携帯電話機によれば、着信通知メッセージや着信履歴を最後に確認した後に、特定の人から電話や電子メールの着信があったとしても、その着信通知メッセージや着信履歴が覗き見されるのを防ぐことができる。しかしながら、特定の人からの着信であるか否かにかかわらず、着信時に一律に表示装置の視野角を狭小化するような構成では、特定の人から着信があった場合に、そのことに視野角外のユーザが気づきにくいという問題があった。
【先行技術文献】
【特許文献】
【０００８】
【特許文献１】特開２００８−２２５１６７号公報
【特許文献２】特開２００６−３０３７１５号公報
【発明の概要】
【発明が解決しようとする課題】
【０００９】
本発明は、上記事情に鑑みてなされたものであり、視野角の切替操作を必要とすることなく、特定の人からの着信情報が覗き見されるのを抑制することができる携帯通信端末を提供することを目的とする。
【００１０】
特に、着信情報を最後に確認した後、特定の人から着信があった場合であっても、特定の人からの着信情報が覗き見されるのを抑制することができる携帯通信端末を提供することを目的とする。また、特定の人からの着信情報が覗き見されるのを抑制しつつ、特定の人から着信があったことをユーザが容易に認識することができる携帯通信端末を提供することを目的とする。
【００１１】
また、本発明は、シークレットモード中に特定の人から着信があった後、シークレットモードを解除する場合に、解除操作の操作内容を示す画面表示が覗き見されるのを抑制することができる携帯通信端末を提供することを目的とする。
【課題を解決するための手段】
【００１２】
第１の本発明による携帯通信端末は、相手先識別情報を覗き見防止識別情報として保持する覗き見防止識別情報記憶手段と、表示装置の視野角を広視野状態及び狭視野状態のいずれか一方に切り替える視野角制御手段と、セルラー基地局を介して、外部機器から着信信号を受信する無線通信手段と、受信した上記着信信号に基づいて、着信情報を上記表示装置上に表示する着信通知手段と、受信した上記着信信号に基づいて、発信元識別情報を特定する発信元特定手段と、上記発信元識別情報を上記覗き見防止識別情報と比較する識別情報比較手段とを備え、上記視野角制御手段が、上記識別情報比較手段の比較結果に基づいて、上記表示装置の視野角を上記狭視野状態に切り替えるように構成される。
【００１３】
この様な構成によれば、着信信号から発信元識別情報を特定し、覗き見防止識別情報と比較して表示装置の視野角を狭視野状態に切り替えるので、覗き見防止識別情報が予め登録されているメンバーから電話や電子メールの着信があった場合に、表示装置の視野角を自動的に狭小化することができる。従って、視野角の切替操作を必要とすることなく、特定の人からの着信情報が覗き見されるのを抑制することができる。特に、覗き見防止識別情報によって秘匿対象の情報が定められるので、着信情報を最後に確認した後、特定の人から着信があった場合であっても、特定の人からの着信情報が覗き見されるのを抑制することができる。
【００１４】
また、覗き見防止識別情報が予め登録されているメンバーから着信があった場合に、表示装置の視野角を狭視野状態に切り替えるので、特定の人からの着信情報が覗き見されるのを抑制しつつ、視野角の狭小化によって特定の人から着信があったことをユーザが容易に認識することができる。
【００１５】
第２の本発明による携帯通信端末は、上記構成に加え、ユーザ操作に基づいて、認証画面を上記表示装置上に表示し、ユーザ認証を行うユーザ認証手段を備え、上記着信通知手段が、上記覗き見防止識別情報が登録されているメンバーをシークレットメンバーとし、このシークレットメンバーから着信信号を受信した場合に、上記着信情報を表示せず、非シークレットメンバーから着信信号を受信した場合に、上記着信情報を表示するシークレットモードと、発信元が上記シークレットメンバーであるか否かにかかわらず、上記着信情報を表示する非シークレットモードとを有し、上記ユーザ認証に成功した場合に、上記シークレットモードから上記非シークレットモードに切り替えるように構成される。
【００１６】
この携帯通信端末では、シークレットモード時に、シークレットメンバーから着信があれば、表示装置の視野角が自動的に狭小化される。このため、シークレットモード中に特定の人から着信があった後、シークレットモードを解除する場合に、解除操作の操作内容を示す画面表示が覗き見されるのを抑制することができる。
【００１７】
第３の本発明による携帯通信端末は、上記構成に加え、上記狭視野状態において視野角外のユーザに視認させる２以上の視野角外視認パターンを保持する視認パターン記憶手段を備え、上記視野角制御手段が、上記視野角外視認パターンのいずれか一つを上記シークレットメンバーからの着信を示すシークレットパターンとし、ユーザ操作に基づいて、上記シークレットパターン以外の上記視野角外視認パターンを用いた狭視野状態に切り替え、この非シークレットパターンによる狭視野状態において上記シークレットメンバーから着信信号を受信した場合に、上記視野角外視認パターンを上記シークレットパターンに切り替えるように構成される。
【００１８】
この様な構成によれば、視野角外視認パターンがシークレットパターンであるのか、或いは、非シークレットパターンであるのかに応じて、シークレットメンバーからの着信によって表示装置の視野角が狭小化されているのか、或いは、ユーザ操作によって狭小化されているのかを容易に識別することができる。
【００１９】
第４の本発明による携帯通信端末は、上記構成に加え、上記覗き見防止識別情報記憶手段が、上記シークレットメンバーの電話番号を上記覗き見防止識別情報として保持するように構成される。この様な構成によれば、特定の人から電話着信があった場合に、その着信情報が覗き見されるのを抑制することができる。
【００２０】
第５の本発明による携帯通信端末は、上記構成に加え、上記覗き見防止識別情報記憶手段が、上記シークレットメンバーのメールアドレスを上記覗き見防止識別情報として保持するように構成される。この様な構成によれば、特定の人から電子メールの着信があった場合に、その着信情報が覗き見されるのを抑制することができる。
【発明の効果】
【００２１】
本発明による携帯通信端末では、覗き見防止識別情報が予め登録されているメンバーから電話や電子メールの着信があった場合に、表示装置の視野角を自動的に狭小化するので、視野角の切替操作を必要とすることなく、特定の人からの着信情報が覗き見されるのを抑制することができる。
【００２２】
特に、着信情報を最後に確認した後、特定の人から着信があった場合であっても、特定の人からの着信情報が覗き見されるのを抑制することができる。また、特定の人からの着信情報が覗き見されるのを抑制しつつ、特定の人から着信があったことをユーザが容易に認識することができる。
【００２３】
また、本発明による携帯通信端末によれば、シークレットモード中に特定の人から着信があった後、シークレットモードを解除する場合に、解除操作の操作内容を示す画面表示が覗き見されるのを抑制することができる。
【図面の簡単な説明】
【００２４】
【図１】本発明の実施の形態１による携帯通信端末の一構成例を示した斜視図であり、携帯通信端末の一例として携帯電話機１が示されている。
【図２】図１の携帯電話機１における表示装置１０１の構成例を示した断面図であり、表示装置１０１を垂直面により切断した場合の切断面が示されている。
【図３】図１の携帯電話機１の動作の一例を示した図であり、狭視野状態時に表示装置１０１による画面表示を異なる視点から見た場合が示されている。
【図４】図１の携帯電話機１の動作の一例を示した図であり、狭視野状態時に表示装置１０１による画面表示を異なる視点から見た場合が示されている。
【図５】図１の携帯電話機１の構成例を示したブロック図である。
【図６】図５の主制御部１０の構成例を示したブロック図である。
【図７】図６の主制御部１０における電話着信時の動作の一例を示したフローチャートである。
【図８】本発明の実施の形態２による携帯通信末の動作の一例を示した図であり、非シークレットモード時の画面表示とシークレットモード時の画面表示とが示されている。
【図９】図８の携帯通信端末の動作の一例を示した図であり、シークレットメンバーから着信があった後に表示装置１０１上に表示された認証画面５３が示されている。
【図１０】図８の携帯通信端末の動作の一例を示した図であり、シークレットモードの解除後に表示された受信メールの閲覧画面５４が示されている。
【図１１】図８の携帯通信端末における主制御部１０の構成例を示したブロック図である。
【図１２】図１１の主制御部１０におけるメール着信時の動作の一例を示したフローチャートである。
【発明を実施するための形態】
【００２５】
実施の形態１．
＜携帯電話機１＞
図１は、本発明の実施の形態１による携帯通信端末の一構成例を示した斜視図であり、携帯通信端末の一例として、薄型筐体１００に表示装置１０１が設けられた携帯電話機１が示されている。この携帯電話機１は、片方の手で保持することができる程度のサイズからなる端末装置であり、薄型筐体１００、表示装置１０１、受話用のスピーカ１０２、送話用のマイクロホン１０３及び操作キー１０４〜１０６により構成される。
【００２６】
薄型筐体１００は、薄型で縦長の直方体形状からなる端末筐体である。表示装置１０１、スピーカ１０２、マイクロホン１０３及び操作キー１０４〜１０６は、薄型筐体１００の前面に配置されている。スピーカ１０２は、受話音を出力するための音声出力装置である。マイクロホン１０３は、送話音を入力するための音声入力装置である。
【００２７】
操作キー１０４〜１０６は、各種機能が予め割り当てられ、ユーザの押下操作により、割り当てられている機能を実行するための物理キーである。例えば、操作キー１０４は、前の画面に戻るためのリターンキーである。また、操作キー１０５は、ホーム画面を表示するためのホームキーである。また、操作キー１０６は、メニュー画面を表示するためのメニューキーである。
【００２８】
表示装置１０１は、矩形形状の表示画面を有するディスプレイ装置である。この表示装置１０１は、視野角の可変制御が可能な表示装置であり、画面表示を広視野角で閲覧させる広視野状態と、画面表示を狭視野角で閲覧させる狭視野状態とを有している。狭視野状態では、広視野状態時に比べ、表示装置１０１の視野角が狭小化される。例えば、左右方向の視野角が狭小化される。
【００２９】
また、表示装置１０１には、表示画面に対するタッチ操作を検出するタッチパネルセンサが設けられている。例えば、タッチパネルセンサには、静電容量方式の検出素子が用いられる。スピーカ１０２は、表示装置１０１と薄型筐体１００の上端との間に配置され、マイクロホン１０３及び操作キー１０４〜１０６は、表示装置１０１と薄型筐体１００の下端との間に配置されている。
【００３０】
携帯電話機１の表示装置１０１は、据置型のテレビ受像装置や端末装置に比べ、表示画面の面積が小さく、また、手に持って使用するためにユーザの目と表示画面との位置関係が概ね一定であることから、視野角制御に適している。また、携帯電話機１は、表示装置１０１をある程度立てた状態で使用されることから、左右方向の視野角を狭小化させれば、覗き見を効果的に防止することができる。
【００３１】
＜表示装置１０１＞
図２は、図１の携帯電話機１における表示装置１０１の構成例を示した断面図であり、表示装置１０１を垂直面により切断した場合の切断面が示されている。この表示装置１０１は、液晶２４の屈折率異方性を利用して視野角を可変制御するための視野角制御パネル２と、情報を表示するための表示用液晶パネル３と、照明用のバックライト４により構成される。
【００３２】
視野角制御パネル２は、偏光板２１、透明基板２２ａ，２２ｂ、透明電極２３ａ，２３ｂ及び液晶２４により構成され、表示用液晶パネル３上に配置されている。液晶２４は、絶縁性の透明基板２２ａ及び２２ｂ間に封入され、前面側の透明基板２２ａの外面には、偏光板２１が配置され、透明基板２２ａ，２２ｂの内面には透明電極２３ａ，２３ｂがそれぞれ形成されている。
【００３３】
表示用液晶パネル３は、透過型の液晶パネルであり、偏光板３１ａ，３１ｂ、透明基板３２ａ，３２ｂ、透明電極３３ａ，３３ｂ及び液晶３４により構成され、バックライト４上に配置されている。液晶３４は、絶縁性の透明基板３２ａ及び３２ｂ間に封入され、前面側の透明基板３２ａの外面には、偏光板３１ａが配置され、背面側の透明基板３２ｂの外面には、偏光板３１ｂが配置されている。また、透明基板３２ａ，３２ｂの内面には透明電極３３ａ，３３ｂがそれぞれ形成されている。
【００３４】
偏光板２１，３１ａは、互いに透過軸が一致するように配置され、表示用液晶パネル３から視野角制御パネル２に入射した光は、液晶２４において偏光面が変動しなければ、そのまま視野角制御パネル２を透過することができる。液晶２４中では、入射光の光軸が正面方向となす角度に応じて、入射光の偏光面が回転することから、所定の視野角よりも外側に向けて進む入射光は、偏光板２１において遮断される。視野角制御は、透明電極２３ａ，２３ｂに印加する電圧を調整して、液晶２４における液晶分子の配向を変化させることにより行われる。
【００３５】
図３は、図１の携帯電話機１の動作の一例を示した図であり、狭視野状態において表示装置１０１による画面表示を異なる視点から見た場合が示されている。図中の（ａ）には、表示装置１０１の視野角内の視点から画面表示を見た場合が示され、（ｂ）には、視野角外の視点から画面表示を見た場合が示されている。この図には、受信した複数の電子メールの着信履歴からなる履歴画面が示されている。
【００３６】
広視野状態の場合、視野角内の視点から画面表示を見れば、当然のことではあるが、良好に視認することができる。また、狭視野状態の場合であっても、視野角内の視点から画面表示を見れば、図中の（ａ）に示した通り、良好に視認することができる。
【００３７】
一方、狭視野状態において視野角外となる視点から画面表示を見た場合には、当該視点が広視野状態において視野角内であったとしても、図中の（ｂ）に示した通り、コントラストが低下し、また、ストライプ状の縦縞模様に遮られて画面表示が視認しづらい。狭視野状態では、視野角外において画面表示が完全に見えない状態であることが理想的であるが、少なくとも画面表示を注視しなければ表示されている情報が認識できないような状態となっていれば良い。
【００３８】
この携帯電話機１では、特定の人の電話番号やメールアドレスといった相手先識別情報を予め登録しておくことにより、その様な登録メンバーから着信があった場合に、表示装置１０１の視野角を自動的に狭小化することができる。また、視野角の狭小化により、登録メンバーから着信があったことを示す不在着信情報や着信通知情報が覗き見されるのを防止することができる。ここでは、着信情報等の秘匿対象とする登録メンバーをシークレットメンバーと呼ぶことにする。
【００３９】
また、狭視野状態時に視野角外のユーザに視認させる２以上の視認パターンが保持され、視認パターンのいずれか一つをシークレットメンバーからの着信を示すシークレットパターンとして登録することができる。つまり、視認パターンがシークレットパターンであるのか、或いは、非シークレットパターンであるのかに応じて、シークレットメンバーからの着信によって表示装置１０１の視野角が狭小化されているのか、或いは、ユーザ操作によって狭小化されているのかを容易に識別することができる。
【００４０】
図４は、図１の携帯電話機１の動作の一例を示した図であり、狭視野状態において表示装置１０１による画面表示を異なる視点から見た場合が示されている。図中の（ａ）には、表示装置１０１の視野角内の視点から画面表示を見た場合が示され、（ｂ）には、視野角外の視点から画面表示を見た場合が示されている。この図には、シークレットメンバーから着信があった場合の待受画面が示されている。
【００４１】
表示装置１０１は、シークレットメンバーから着信があれば、狭視野状態に切り替えられ、視野角が狭小化される。この狭視野状態では、高コントラストのシークレットパターンが画面表示に重畳される。このシークレットパターンは、ユーザ操作によって視野角を狭小化する場合の視認パターンとは異なる。この例では、市松模様のシークレットパターンが画面表示に重畳されている。
【００４２】
この様に視認パターンを異ならせることにより、ユーザは、シークレットメンバーからの着信によって表示装置１０１の視野角が狭小化されているのか、或いは、ユーザ操作によって狭小化されているのかを容易に識別することができる。
【００４３】
図５は、図１の携帯電話機１の構成例を示したブロック図である。この携帯電話機１は、主制御部１０、セルラー通信部１１、操作部１２、音声処理部１３、パネル駆動部１４、表示制御部１５及び表示装置１０１により構成される。主制御部１０は、操作部１２から入力される操作信号に基づいて、各デバイスを制御する。
【００４４】
セルラー通信部１１は、移動体通信網のセルラー基地局を介して、外部機器と通信を行う無線通信部であり、セルラー基地局を介して、外部機器から着信信号を受信する。音声処理部１３は、受話音声信号を増幅してスピーカ１０２へ出力し、マイクロホン１０３で集音された送話音声信号を主制御部１０へ出力する。
【００４５】
主制御部１０は、電話や電子メールの着信信号を受信した場合に、着信通知を行い、また、オフフック後の通話処理を行う。着信通知は、着信があったことを示す着信通知メッセージを表示し、或いは、ＬＥＤインジケータを点灯させ、或いは、通知音を出力し、或いは、バイブレータを振動させることにより行われる。
【００４６】
表示装置１０１は、視野角制御パネル２、表示用液晶パネル３及びバックライト４からなり、広視野状態及び狭視野状態を有する。パネル駆動部１４は、表示装置１０１の視野角を広視野状態又は狭視野状態のいずれか一方に切り替えるために、主制御部１０の指示に基づいて、視野角制御パネル２を駆動する。表示制御部１５は、主制御部１０の指示に基づいて、表示用液晶パネル３及びバックライト４を制御する。
【００４７】
＜主制御部１０＞
図６は、図５の主制御部１０の構成例を示したブロック図である。この主制御部１０は、発信元特定部１１０、シークレットメンバー登録部１１１、覗き見防止識別情報記憶部１１２、識別情報比較部１１３、視野角制御部１１４、視認パターン記憶部１１５、シークレットパターン選択部１１６及び着信通知制御部１１７により構成される。
【００４８】
シークレットメンバー登録部１１１は、ユーザ操作に基づいて、着信情報等の秘匿対象とするシークレットメンバーの登録を行う。具体的には、シークレットメンバーの電話番号又はメールアドレスといった相手先識別情報が覗き見防止識別情報として登録される。覗き見防止識別情報記憶部１１２には、シークレットメンバー登録部１１１により登録された覗き見防止識別情報が保持される。
【００４９】
着信通知制御部１１７は、受信した着信信号に基づいて、着信通知を行うための着信通知制御信号を生成する。この着信通知により、不在着信情報や着信通知情報といった着信情報が表示装置１０１上に表示される。例えば、呼出中に発信元の電話番号を表示し、或いは、呼出終了後に不在着信情報又は着信通知情報を表示する。つまり、着信情報には、発信元の識別情報や、着信があったことを示す不在着信情報、着信通知情報が含まれる。
【００５０】
発信元特定部１１０は、受信した着信信号に基づいて、発信元識別情報を特定する。識別情報比較部１１３は、発信元特定部１１０により特定された発信元識別情報を覗き見防止識別情報記憶部１１２内の覗き見防止識別情報と比較し、その比較結果を視野角制御部１１４へ出力する。
【００５１】
視野角制御部１１４は、表示装置１０１の視野角を広視野状態又は狭視野状態のいずれか一方に切り替えるための視野角制御信号を生成し、パネル駆動部１４へ出力する。この視野角制御部１１４は、識別情報比較部１１３の比較結果に基づいて、表示装置１０１の視野角を狭視野状態に切り替える。具体的には、広視野状態において、覗き見防止識別情報が登録されているメンバーから着信があれば、表示装置１０１の視野角を狭視野状態に切り替える。狭視野状態から広視野状態への切替は、ユーザ操作に基づいて行われる。
【００５２】
一方、非シークレットメンバーからの着信時や、狭視野状態時には、視野角の切替は行わない。つまり、シークレットメンバーから着信があった場合にだけ、表示装置１０１の視野角が狭視野状態に切り替えられるので、視野角の狭小化によってシークレットメンバーから着信があったことをユーザに認識させることができる。
【００５３】
視認パターン記憶部１１５には、狭視野状態時に視野角外のユーザに視認させる２以上の視野角外視認パターンが保持される。この視野角外視認パターンは、表示装置１０１の表示エリアを多数のブロックに分割し、ブロックごとに視野角を異ならせるための視野角制御情報からなる。この様な視野角外視認パターンを画面表示に重畳させ、視野角外のユーザに視認させることにより、視野角外視認パターンが目立って画面表示が識別しづらくなる。シークレットパターン選択部１１６は、ユーザ操作に基づいて、視野角外視認パターンのいずれか一つをシークレットメンバーからの着信を示すシークレットパターンとして選択する。
【００５４】
視野角制御部１１４は、ユーザ操作に基づいて、シークレットパターン以外の視野角外視認パターンを用いた狭視野状態に切り替える。そして、この非シークレットパターンによる狭視野状態においてシークレットメンバーから着信信号を受信した場合には、視野角外視認パターンをシークレットパターンに切り替える。つまり、視野角外視認パターンがシークレットパターンであるのか、或いは、非シークレットパターンであるのかに応じて、シークレットメンバーからの着信によって表示装置１０１の視野角が狭小化されているのか、或いは、ユーザ操作によって狭小化されているのかを容易に識別することができる。
【００５５】
図７のステップＳ１０１〜Ｓ１０９は、図６の主制御部１０における電話着信時の動作の一例を示したフローチャートであり、広視野状態において着信があった場合が示されている。まず、発信元特定部１１０は、受信した着信信号から発信元の電話番号を特定する（ステップＳ１０１）。識別情報比較部１１３は、特定された発信元電話番号を覗き見防止識別情報と比較する（ステップＳ１０２）。
【００５６】
このとき、視野角制御部１１４は、発信元電話番号が覗き見防止識別情報と一致すれば、シークレットメンバーからの電話着信であると判断し、表示装置１０１の視野角を狭視野状態に切り替える（ステップＳ１０３，Ｓ１０４）。一方、視野角制御部１１４は、発信元電話番号が覗き見防止識別情報と一致しなかった場合、狭視野状態への切替を行わない。
【００５７】
次に、主制御部１０は、着信通知を行い（ステップＳ１０５）、呼出が終了するまでにオフフック操作が行われれば、通話処理を開始し、この処理を終了する（ステップＳ１０６，Ｓ１０９）。一方、主制御部１０は、オフフック操作が行われることなく、呼出が終了すれば、電話着信の不在着信を示す不在着信メッセージを表示し、この処理を終了する（ステップＳ１０６〜Ｓ１０８）。
【００５８】
なお、外部機器から電子メールの着信信号を受信した場合の主制御部１０の動作は、ステップＳ１０６，Ｓ１０７及びＳ１０９の処理手順を除いて、上述した電話着信時における処理手順と同様にして行われる。
【００５９】
本実施の形態によれば、着信信号から発信元識別情報を特定し、覗き見防止識別情報と比較して表示装置１０１の視野角を狭視野状態に切り替えるので、シークレットメンバーから電話や電子メールの着信があった場合に、表示装置１０１の視野角を自動的に狭小化することができる。従って、視野角の切替操作を必要とすることなく、特定の人からの着信情報が覗き見されるのを防止することができる。特に、覗き見防止識別情報によって秘匿対象の情報が定められるので、着信情報を最後に確認した後、特定の人から着信があった場合であっても、特定の人からの着信情報が覗き見されるのを防止することができる。
【００６０】
また、シークレットメンバーから着信があった場合に、表示装置１０１の視野角を狭視野状態に切り替えるので、特定の人からの着信情報が覗き見されるのを抑制しつつ、視野角の狭小化によって特定の人から着信があったことをユーザが容易に認識することができる。
【００６１】
実施の形態２．
実施の形態１では、覗き見防止識別情報が予め登録されているメンバーの着信情報が覗き見されるのを防止する場合の例について説明した。これに対し、本実施の形態では、シークレットモードを解除する際の解除操作の操作内容を示す画面表示が覗き見されるのを防止する場合について説明する。
【００６２】
図８は、本発明の実施の形態２による携帯通信末の動作の一例を示した図であり、図中の（ａ）には、非シークレットモード時における表示装置１０１の画面表示が示され、（ｂ）には、シークレットモード時の画面表示が示されている。この図には、シークレットメンバー「Ｂさん」を含む複数の人から電話着信やメール着信があった場合の待受画面５１と、複数の電話着信の着信履歴からなる履歴画面５２とが示されている。
【００６３】
シークレットモードは、シークレットメンバーから着信があったとしても着信通知を行わず、シークレットメンバーの着信履歴も表示せず、非シークレットメンバーから着信があった場合にのみ着信通知を行う動作モードである。一方、非シークレットモードでは、発信元がシークレットメンバーであるか否かにかかわらず、着信通知が行われ、シークレットメンバー及び非シークレットメンバーの着信履歴が表示される。
【００６４】
この待受画面５１では、非シークレットモードの場合に、電話着信に関する不在着信が３件あり、かつ、新着メール、すなわち、未読メールが１件あることを示す着信通知メッセージが表示されている。一方、シークレットモードの場合には、不在着信が２件あることを示す着信通知メッセージが表示されている。
【００６５】
履歴画面５２では、非シークレットモードの場合に、「Ａさん」、「Ｂさん」及び「Ｃさん」の３件の着信履歴が表示されている。一方、シークレットモードの場合には、「Ａさん」及び「Ｃさん」の２件の着信履歴が表示されている。つまり、「Ｂさん」は、シークレットメンバーであり、シークレットモードでは、「Ｂさん」の電話着信の履歴情報と、メール着信の着信通知メッセージとが秘匿されている。
【００６６】
この様な非シークレットモードからシークレットモードへは、ユーザ操作によって任意に切り替えることができる。一方、シークレットモードを解除して非シークレットモードへ移行するには、ユーザ認証のための認証画面を表示させ、パスワード等を入力することによってユーザ認証に成功しなければならない。
【００６７】
＜認証画面５３＞
図９は、図８の携帯通信端末の動作の一例を示した図であり、シークレットメンバーから着信があった後に表示装置１０１上に表示された認証画面５３が示されている。図中の（ａ）には、表示装置１０１の視野角内の視点から画面表示を見た場合が示され、（ｂ）には、視野角外の視点から画面表示を見た場合が示されている。
【００６８】
この認証画面５３は、ユーザ操作に基づいて表示される入力画面であり、暗証番号の入力欄、キャンセルボタン、ＯＫボタン、数字等を入力するためのソフトキーボードが表示されている。数字キーを操作することにより、暗証番号を入力することができる。入力した暗証番号が予め登録されている登録番号と一致すれば、ユーザ認証に成功し、シークレットモードが解除される。
【００６９】
シークレットメンバーから着信があったか否かは、視野角の狭小化により識別することができる。狭視野状態の場合、視野角内の視点から画面表示を見れば、図中の（ａ）に示した通り、良好に視認することができる。一方、狭視野状態時に視野角外となる視点から画面表示を見た場合には、図中の（ｂ）に示した通り、コントラストが低下し、市松模様に遮られて画面表示が視認しづらい。
【００７０】
シークレットモード時に、シークレットメンバーから着信があれば、表示装置１０１の視野角が自動的に狭小化される。このため、シークレットモード中にシークレットメンバーから着信があった後、シークレットモードを解除する場合に、解除操作の操作内容を示す画面表示が覗き見されるのを防止することができる。
【００７１】
図１０は、図８の携帯通信端末の動作の一例を示した図であり、シークレットモードの解除後に表示された受信メールの閲覧画面５４が示されている。図中の（ａ）には、表示装置１０１の視野角内の視点から画面表示を見た場合が示され、（ｂ）には、視野角外の視点から画面表示を見た場合が示されている。
【００７２】
この閲覧画面５４には、シークレットメンバー「Ｂさん」から受信した電子メールのヘッダ情報やメール本文が表示されている。狭視野状態の場合、視野角内の視点から画面表示を見れば、図中の（ａ）に示した通り、良好に視認することができる。一方、狭視野状態時に視野角外となる視点から画面表示を見た場合には、図中の（ｂ）に示した通り、コントラストが低下し、市松模様に遮られて画面表示が視認しづらい。つまり、シークレットメンバー「Ｂさん」の受信メールの内容が覗き見されるのを防止することができる。
【００７３】
＜主制御部１０＞
図１１は、図８の携帯通信端末における主制御部１０の構成例を示したブロック図である。この主制御部１０は、図６の主制御部１０と比較すれば、ユーザ認証部１１８を備えている点で異なる。着信通知制御部１１７は、シークレットメンバーから着信信号を受信した場合に、着信情報を表示せず、非シークレットメンバーから着信信号を受信した場合に、着信情報を表示するシークレットモードと、発信元がシークレットメンバーであるか否かにかかわらず、着信情報を表示する非シークレットモードとを切り替える。
【００７４】
ユーザ認証部１１８は、シークレットモードを解除するためのユーザ操作に基づいて、認証画面５３を表示装置１０１上に表示し、ユーザ認証を行う。着信通知制御部１１７は、ユーザ操作に基づいて、シークレットモードに切り替える。一方、着信通知制御部１１７は、ユーザ認証に成功した場合に、シークレットモードから非シークレットモードに切り替える。
【００７５】
図１２のステップＳ２０１〜Ｓ２１１は、図１１の主制御部１０におけるメール着信時の動作の一例を示したフローチャートであり、シークレットモード中に着信があった場合が示されている。まず、発信元特定部１１０は、受信した着信信号から発信元のメールアドレスを特定する（ステップＳ２０１）。識別情報比較部１１３は、特定された発信元アドレスを覗き見防止識別情報と比較する（ステップＳ２０２）。
【００７６】
このとき、視野角制御部１１４は、発信元アドレスが覗き見防止識別情報と一致すれば、シークレットメンバーからのメール着信であると判断し、表示装置１０１の視野角を狭視野状態に切り替える（ステップＳ２０３，Ｓ２０４）。一方、発信元アドレスが覗き見防止識別情報と一致しなかった場合、視野角制御部１１４は、狭視野状態への切替を行わず、着信通知制御部１１７は、着信通知を行い、この処理を終了する（ステップＳ２０３，Ｓ２１１）。
【００７７】
次に、ユーザ認証部１１８は、シークレットモードを解除するための解除操作が行われれば、認証画面５３を表示する（ステップＳ２０５，Ｓ２０６）。ユーザ認証部１１８は、暗証番号が入力されれば、登録番号と照合してユーザ認証を行う（ステップＳ２０７，Ｓ２０８）。
【００７８】
このとき、入力された暗証番号が登録番号と一致すれば、ユーザ認証に成功したと判断され、着信通知制御部１１７は、シークレットモードを解除して非シークレットモードに切り替え、この処理を終了する（ステップＳ２０９，Ｓ２１０）。一方、ユーザ認証に成功しなければ、ただちにこの処理を終了する。
【００７９】
本実施の形態によれば、シークレットモード時に、シークレットメンバーから着信があれば、表示装置１０１の視野角が自動的に狭小化される。このため、シークレットモード中にシークレットメンバーから着信があった後、シークレットモードを解除する場合に、解除操作の操作内容を示す画面表示が覗き見されるのを防止することができる。つまり、着信があってから認証画面５３が表示されるまでの操作内容を秘匿することにより、シークレットモードを解除するための操作が行われたことを周囲の人に悟られにくくすることができる。
【００８０】
なお、実施の形態１及び２では、表示用液晶パネル３とは別個に視野角制御パネル２を用いて表示装置１０１の視野角を可変制御する場合の例について説明したが、本発明は視野角制御の構成をこれに限定するものではない。例えば、液晶パネルの視野角が輝度によって変化する性質を利用し、表示データを加工することにより、ソフトウェア的に液晶パネルの視野角を可変制御するような構成であっても良い。
【００８１】
本発明の実施の形態による携帯通信端末の構成と対応する作用効果とを以下に整理してまとめる。
第１の本発明による携帯通信端末は、相手先識別情報を覗き見防止識別情報として保持する覗き見防止識別情報記憶部１１２と、表示装置１０１の視野角を広視野状態及び狭視野状態のいずれか一方に切り替える視野角制御部１１４と、セルラー基地局を介して、外部機器から着信信号を受信するセルラー通信部１１と、受信した着信信号に基づいて、着信情報を表示装置１０１上に表示する着信通知制御部１１７と、受信した着信信号に基づいて、発信元識別情報を特定する発信元特定部１１０と、発信元識別情報を覗き見防止識別情報と比較する識別情報比較部１１３とを備え、視野角制御部１１４が、識別情報比較部１１３の比較結果に基づいて、表示装置１０１の視野角を狭視野状態に切り替えるように構成される。
【００８２】
この様な構成によれば、着信信号から発信元識別情報を特定し、覗き見防止識別情報と比較して表示装置１０１の視野角を狭視野状態に切り替えるので、覗き見防止識別情報が予め登録されているメンバーから電話や電子メールの着信があった場合に、表示装置１０１の視野角を自動的に狭小化することができる。従って、視野角の切替操作を必要とすることなく、特定の人からの着信情報が覗き見されるのを抑制することができる。特に、覗き見防止識別情報によって秘匿対象の情報が定められるので、着信情報を最後に確認した後、特定の人から着信があった場合であっても、特定の人からの着信情報が覗き見されるのを抑制することができる。
【００８３】
また、覗き見防止識別情報が予め登録されているメンバーから着信があった場合に、表示装置１０１の視野角を狭視野状態に切り替えるので、特定の人からの着信情報が覗き見されるのを抑制しつつ、視野角の狭小化によって特定の人から着信があったことをユーザが容易に認識することができる。
【００８４】
第２の本発明による携帯通信端末は、上記構成に加え、ユーザ操作に基づいて、認証画面５３を表示装置１０１上に表示し、ユーザ認証を行うユーザ認証部１１８を備え、着信通知制御部１１７が、覗き見防止識別情報が登録されているメンバーをシークレットメンバーとし、このシークレットメンバーから着信信号を受信した場合に、着信情報を表示せず、非シークレットメンバーから着信信号を受信した場合に、着信情報を表示するシークレットモードと、発信元がシークレットメンバーであるか否かにかかわらず、着信情報を表示する非シークレットモードとを有し、ユーザ認証に成功した場合に、シークレットモードから非シークレットモードに切り替えるように構成される。
【００８５】
この携帯通信端末では、シークレットモード時に、シークレットメンバーから着信があれば、表示装置１０１の視野角が自動的に狭小化される。このため、シークレットモード中に特定の人から着信があった後、シークレットモードを解除する場合に、解除操作の操作内容を示す画面表示が覗き見されるのを抑制することができる。
【００８６】
第３の本発明による携帯通信端末は、上記構成に加え、狭視野状態において視野角外のユーザに視認させる２以上の視野角外視認パターンを保持する視認パターン記憶部１１５を備え、視野角制御部１１４が、視野角外視認パターンのいずれか一つをシークレットメンバーからの着信を示すシークレットパターンとし、ユーザ操作に基づいて、シークレットパターン以外の視野角外視認パターンを用いた狭視野状態に切り替え、この非シークレットパターンによる狭視野状態においてシークレットメンバーから着信信号を受信した場合に、視野角外視認パターンをシークレットパターンに切り替えるように構成される。
【００８７】
この様な構成によれば、視野角外視認パターンがシークレットパターンであるのか、或いは、非シークレットパターンであるのかに応じて、シークレットメンバーからの着信によって表示装置１０１の視野角が狭小化されているのか、或いは、ユーザ操作によって狭小化されているのかを容易に識別することができる。
【００８８】
第４の本発明による携帯通信端末は、上記構成に加え、覗き見防止識別情報記憶部１１２が、シークレットメンバーの電話番号を覗き見防止識別情報として保持するように構成される。この様な構成によれば、特定の人から電話着信があった場合に、その着信情報が覗き見されるのを抑制することができる。
【００８９】
第５の本発明による携帯通信端末は、上記構成に加え、覗き見防止識別情報記憶部１１２が、シークレットメンバーのメールアドレスを覗き見防止識別情報として保持するように構成される。この様な構成によれば、特定の人から電子メールの着信があった場合に、その着信情報が覗き見されるのを抑制することができる。
【符号の説明】
【００９０】
１  携帯電話機
１００  薄型筐体
１０１  表示装置
１０２  受話用のスピーカ
１０３  送話用のマイクロホン
１０４〜１０６  操作キー
２  視野角制御パネル
３  表示用液晶パネル
４  バックライト
１０  主制御部
１１  セルラー通信部
１２  操作部
１３  音声処理部
１４  パネル駆動部
１５  表示制御部
１１０  発信元特定部
１１１  シークレットメンバー登録部
１１２  覗き見防止識別情報記憶部
１１３  識別情報比較部
１１４  視野角制御部
１１５  視認パターン記憶部
１１６  シークレットパターン選択部
１１７  着信通知制御部
１１８  ユーザ認証部
【図１】
2014093730.tif 000003
【図２】
2014093730.tif 000004
【図３】
2014093730.tif 000005
【図４】
2014093730.tif 000006
【図５】
2014093730.tif 000007
【図６】
2014093730.tif 000008
【図７】
2014093730.tif 000009
【図８】
2014093730.tif 000010
【図９】
2014093730.tif 000011
【図１０】
2014093730.tif 000012
【図１１】
2014093730.tif 000013
【図１２】
2014093730.tif 000014